(57)【要約】【課題】必要とするカバー開閉方向が異なる場合であっても、部品を標準化することができるアクセサリソケットカバー装置を提供する。【解決手段】アクセサリソケットのカバーユニット５は、略環状のカバーホルダ６と、ヒンジ機構を介して開閉可能に取り付けられたアクセサリソケットカバー７とを備える。カバーユニット５は、複数のカバー開閉向きの中から特定の向きを選択できる組付機構１５を介し、コネクタ本体４に組み付け可能となっている。組付機構１５は、カバーホルダ６の開口部１７の周縁に周方向に等間隔に形成された複数のスリット２０と、コネクタ本体４の側部に突設された突起１９とを備える。そして、突起１９を何れかのスリット２０に係止することにより、アクセサリソケットカバー７の開閉向きを所定向きに選択した上で、カバーユニット５をコネクタ本体４に組み付ける。【選択図】図３
2014094706.tif 000002
【特許請求の範囲】
【請求項１】
カバーホルダにアクセサリソケットカバーが開閉可能に取り付けられ、そのカバーユニットが組み付けられるソケット本体の端子を、前記アクセサリソケットカバーによって収納又は露出させるアクセサリソケットカバー装置において、
前記カバーホルダ及び前記ソケット本体の一方に形成された突起と他方に形成された凹部との係止の組み合わせにより、前記アクセサリソケットカバーの開閉向きを選択しながら前記カバーホルダを前記ソケット本体に取り付け可能とする組付機構を備えた
ことを特徴とするアクセサリソケットカバー装置。
【請求項２】
前記カバーホルダ及び前記ソケット本体の一方に前記凹部を周方向に複数設け、当該凹部に係止可能な前記突起を他方に１つ設け、当該突起を何れかの前記凹部に係止することにより、前記アクセサリソケットカバーの開閉向きを選択しながら前記カバーホルダが前記ソケット本体に取り付けられている
ことを特徴とする請求項１に記載のアクセサリソケットカバー装置。
【請求項３】
前記カバーホルダ及び前記ソケット本体の一方に組付突部が周方向に突設され、他方に環状のフランジ部が設けられ、前記カバーホルダ及び前記ソケット本体の組み付けの際には、前記組付突部及びフランジ部によって位置決めされ、
前記突起及び前記凹部は、一方が前記組付突部に設けられ、他方が前記フランジ部に設けられている
ことを特徴とする請求項２に記載のアクセサリソケットカバー装置。
【請求項４】
前記カバーホルダの裏面の端部に、前記アクセサリソケットカバーを閉又は開の何れかの方向に付勢する付勢部の収納部が開口形成され、前記付勢部を前記収納部の内部に押し込んで収納することにより、当該付勢部が前記収納部に取り付けられている
ことを特徴とする請求項１〜３のうちいずれか一項に記載のアクセサリソケットカバー装置。
【発明の詳細な説明】
【技術分野】
【０００１】
本発明は、アクセサリソケットの開口を開閉するアクセサリソケットカバー装置に関する。
【背景技術】
【０００２】
従来、車両において例えば携帯電話やポータブルオーディオ等の電子機器の充電が可能なアクセサリソケットが周知である（特許文献１等参照）。この種のアクセサリソケットには、ケーブルの先端のコネクタにカバーが設けられている。電子機器を充電するには、カバーを開けてコネクタの端子を外部に露出させ、この端子に電子機器を電気接続することにより行う。
【先行技術文献】
【特許文献】
【０００３】
【特許文献１】特開２００９−２２９６６１号公報
【発明の概要】
【発明が解決しようとする課題】
【０００４】
ところで、アクセサリソケットのカバーは、取り付けられる相手部品に応じて、例えば左開き、右開き、上開き、下開きなどの種々の開閉方向に選択したいニーズがある。このため、従来は、カバーの開き方向に応じてアクセサリソケットを製造する必要が生じ、これが部品の種類増加に繋がる問題があった。
【０００５】
本発明の目的は、必要とするカバー開閉方向が異なる場合であっても、部品を標準化することができるアクセサリソケットカバー装置を提供することにある。
【課題を解決するための手段】
【０００６】
前記問題点を解決するアクセサリソケットカバー装置は、カバーホルダにアクセサリソケットカバーが開閉可能に取り付けられ、そのカバーユニットが組み付けられるソケット本体の端子を、前記アクセサリソケットカバーによって収納又は露出させる構成において、前記カバーホルダ及び前記ソケット本体の一方に形成された突起と他方に形成された凹部との係止の組み合わせにより、前記アクセサリソケットカバーの開閉向きを選択しながら前記カバーホルダを前記ソケット本体に取り付け可能とする組付機構を備えた。
【０００７】
本構成によれば、係止する突起及び凹部の組み合わせを替えて、カバーユニットをソケット本体に取り付ければ、共通のカバーユニットを使用したとしても、カバー開閉方向が異なるアクセサリソケットを適宜製造することが可能となる。よって、１つのカバーユニットを種々のソケット種類に適用すること、つまり部品の標準化が可能となる。従って、部品点数の削減が可能となり、例えばソケット種類ごとにカバーユニットを用意せずに済むという点で部品コスト抑制等に寄与する。
【０００８】
前記アクセサリソケットカバー装置において、前記カバーホルダ及び前記ソケット本体の一方に前記凹部を周方向に複数設け、当該凹部に係止可能な前記突起を他方に１つ設け、当該突起を何れかの前記凹部に係止することにより、前記アクセサリソケットカバーの開閉向きを選択しながら前記カバーホルダが前記ソケット本体に取り付けられていることが好ましい。この構成によれば、突起を１つ設け、凹部を複数設け、１つの突起をどの凹部に係止するかにより、カバーユニットをソケット本体に組み付けた際のカバー開閉の向きを設定する。よって、簡素な構成で、かつ簡単にカバー開閉方向を決めながら、カバーユニットをソケット本体に組み付けることが可能となる。
【０００９】
前記アクセサリソケットカバー装置において、前記カバーホルダ及び前記ソケット本体の一方に組付突部が周方向に突設され、他方に環状のフランジ部が設けられ、前記カバーホルダ及び前記ソケット本体の組み付けの際には、前記組付突部及びフランジ部によって位置決めされ、前記突起及び前記凹部は、一方が前記組付突部に設けられ、他方が前記フランジ部に設けられていることが好ましい。この構成によれば、カバーユニット及びソケット本体の組み付け時には、組付突部及びフランジ部が係止することになるので、これらを抜け止めしながら強固に組み付けておくことが可能となる。
【００１０】
前記アクセサリソケットカバー装置において、前記カバーホルダの裏面の端部に、前記アクセサリソケットカバーを閉又は開の何れかの方向に付勢する付勢部の収納部が開口形成され、前記付勢部を前記収納部の内部に押し込んで収納することにより、当該付勢部が前記収納部に取り付けられていることが好ましい。この構成によれば、付勢部の収納部をカバーホルダの端部に設けたので、他の部品に影響を与えない箇所に付勢部の配置スペースを設けることが可能となる。また、テンションを持たせた状態で付勢部を収納部に組み付けておくので、付勢部の取り付け荷重が確保される。よって、付勢部を収納部から脱落し難くすることも可能となる。
【発明の効果】
【００１１】
本発明によれば、アクセサリソケットカバー装置において、必要とするカバー開閉方向が異なる場合であっても、部品を標準化することができる。
【図面の簡単な説明】
【００１２】
【図１】一実施形態のアクセサリソケットの外観を示す斜視図。
【図２】カバーユニットのヒンジ部分の断面図。
【図３】アクセサリソケットの分解斜視図。
【図４】（ａ），（ｂ）はカバーを左開きとする取付図。
【図５】カバーを右開きとする取付図。
【図６】カバーを上開きとする取付図。
【図７】カバーを下開きとする取付図。
【発明を実施するための形態】
【００１３】
以下、アクセサリソケットカバー装置の一実施形態を図１〜図７に従って説明する。
図１に示すように、アクセサリソケット１には、ケーブル２と、ケーブル２の先端に配設されたコネクタ部３とが設けられている。アクセサリソケット１は、例えばコネクタ部３が車内のセンターコンソール等に取り付け固定される。コネクタ部３には、例えば電気端子（図示略）を有する筒状のコネクタ本体（取付リング）４が設けられ、このコネクタ本体４にカバーユニット５が取り付け固定されている。カバーユニット５は、コネクタ本体４内の電気端子を収納／露出する。カバーユニット５には、コネクタ本体４への係止箇所（圧入箇所）となるカバーホルダ６が設けられ、このカバーホルダ６に例えば略円形状のアクセサリソケットカバー７がヒンジ機構８を介して開閉可能に取り付けられている。なお、コネクタ本体４がソケット本体の一例である。
【００１４】
図３に示すように、カバーホルダ６は、例えば略環状をなすとともに、コネクタ本体４の上端周縁に取り付けられる。カバーホルダ６の側部に設けられたヒンジ機構８の座部９には、アクセサリソケットカバー７の側部に突設された一対の突片１０が、ピン１１によって軸支されている。ピン１１には、アクセサリソケットカバー７を閉じ方向（図３の矢印Ａ１方向）に付勢するトーションスプリング１２が取り付けられている。突片１０には、ピン１１を通すための一対の孔１３が形成され、座部９にも同様の一対の孔１４（図３は片側のみ図示）が形成されている。なお、トーションスプリング１２が付勢部の一例である。
【００１５】
カバーユニット５は、複数のカバー開閉向きの中から特定の向きを選択できる組付機構１５を介し、コネクタ本体４に組み付け可能となっている。本例の組付機構１５は、カバーユニット５を例えば左開き、右開き、上開き及び下開きの何れかに開閉向きを選択した上で、カバーユニット５のコネクタ本体４への組み付けを可能とする。
【００１６】
コネクタ本体４の外周には、周方向全域に亘り環状の組付突部１６が突設されている。カバーホルダ６の開口部１７の内周縁には、周方向全域に亘り環状のフランジ部１８が設けられ、組付突部１６及びフランジ部１８によって、コネクタ本体４及びカバーホルダ６の軸方向（図３のＺ軸方向）の位置決めがなされる。組付突部１６の側面には、カバーホルダ６の周方向（図３の矢印Ｚ軸方向）の取り付け位置を決める略直方体状の突起１９が突設されている。また、フランジ部１８には、突起１９と協同してカバーホルダ６の周方向の位置を選択的に決める複数（本例は４箇所）のスリット２０が周方向に沿って等間隔に凹設されている。突起１９及びスリット２０は、カバーホルダ６の軸回り（図３の矢印Ａ２方向）の回り止めとなる。なお、スリット２０が凹部の一例である。
【００１７】
図２に示すように、座部９の裏面には、トーションスプリング１２の嵌め込み先としてスプリング収納部２１が開口形成されている。トーションスプリング１２は、スプリング収納部２１に例えば圧入するように取り付けられる。トーションスプリング１２の一端は、スプリング収納部２１に形成された段状部２２に係止されている。トーションスプリング１２の他端は、座部９に貫設された貫通孔２３を通じ、アクセサリソケットカバー７の裏面に形成された係止溝２４に係止されている。
【００１８】
次に、図４〜図７を用いて、本例のアクセサリソケットカバー装置の作用を説明する。
図４（ａ）に示すように、アクセサリソケットカバー７を左開き（左側に開く）とする場合、カバーホルダ６のスリット２０ａをコネクタ本体４の突起１９に位置合わせした状態で、カバーユニット５を下からコネクタ本体４に挿し込む。カバーユニット５は、例えば圧入によりコネクタ本体４に固定される。図４（ｂ）に示すように、スリット２０ａに突起１９を係止すると、カバーユニット５が左開きの状態でコネクタ本体４に組み付けられる。これにより、コネクタ本体４へのカバーユニット５の組み付けが完了する。
【００１９】
図５に示すように、アクセサリソケットカバー７を右開き（右側に開く）とする場合は、カバーホルダ６のスリット２０ｂをコネクタ本体４の突起１９に位置合わせした状態で、カバーユニット５を下からコネクタ本体４に取り付ける。これにより、カバーユニット５（アクセサリソケットカバー７）は、左開きのみならず、右開きのカバーとしても使用可能である。
【００２０】
図６に示すように、アクセサリソケットカバー７を上開き（上側に開く）とする場合は、カバーホルダ６のスリット２０ｃをコネクタ本体４の突起１９に位置合わせした状態で、カバーユニット５を下からコネクタ本体４に取り付ける。これにより、カバーユニット５（アクセサリソケットカバー７）は、左開き及び右開きのみならず、上開きのカバーとしても使用可能である。
【００２１】
図７に示すように、アクセサリソケットカバー７を下開き（下側に開く）とする場合は、カバーホルダ６のスリット２０ｄをコネクタ本体４の突起１９に位置合わせした状態で、カバーユニット５を下からコネクタ本体４に取り付ける。これにより、カバーユニット５（アクセサリソケットカバー７）は、左開き、右開き及び上開きのみならず、下開きのカバーとしても使用可能である。
【００２２】
本実施形態の構成によれば、以下に記載の効果を得ることができる。
（１）カバーホルダ６の開口部１７の周縁に複数のスリット２０を周方向に設け、コネクタ本体４の側部に突起１９を設ける。そして、突起１９を何れかのスリット２０に係止することにより、アクセサリソケットカバー７の開閉向きを所定向きに選択した上で、カバーユニット５をコネクタ本体４に組み付ける。このため、カバー開閉向き（左開き、右開き、上開き、下開き）が異なる複数のアクセサリソケット１を製造する際、同じカバーユニット５を使用しても、突起１９をどのスリット２０に係止するのかを替えるだけで、異なるカバー開閉向きに設定することができるので、アクセサリソケット１を標準化することができる。従って、カバー開閉向きごとにアクセサリソケット１を製造せずに済むので、部品種類を少なく抑えることができる。
【００２３】
（２）コネクタ本体４に突起１９を１つ設け、カバーホルダ６にスリット２０を複数設け、１つの突起１９をどのスリット２０に係止するかにより、カバーユニット５の開閉方向を選択的に設定する。よって、簡素な構成で、かつ簡単にカバー開閉方向を決めながら、カバーユニット５をコネクタ本体４に組み付けることができる。
【００２４】
（３）カバーユニット５の開口部１７にコネクタ本体４を挿し込んでカバーユニット５をコネクタ本体４に組み付ける際、コネクタ本体４の組付突部１６をカバーホルダ６のフランジ部１８に係止することによって、両者の軸方向の位置決めがなされる。よって、コネクタ本体４及びカバーユニット５を抜け止めしながら強固に組み付けておくことができる。
【００２５】
（４）スプリング収納部２１をカバーホルダ６の裏面端部に設けたので、他の部品に影響を与えない箇所にトーションスプリング１２の配置スペースを設けることができる。例えば、アクセサリソケットカバー７の裏面に貼り付けるコーションラベルに影響を与えずに済む。また、トーションスプリング１２は、スプリング収納部２１にテンションを持たせた状態で押し込んで取り付けられる。このため、テンションを持たせた状態でトーションスプリング１２をスプリング収納部２１に組み付けることが可能となるので、トーションスプリング１２の取り付け荷重が確保される。よって、トーションスプリング１２をスプリング収納部２１から脱落し難くすることもできる。
【００２６】
なお、実施形態はこれまでに述べた構成に限らず、以下の態様に変更してもよい。
・カバーユニット５は、例えばアクセサリソケットカバー７及びカバーホルダ６が樹脂で一体形成され、樹脂ヒンジを介して開閉する部品でもよい。
【００２７】
・突起１９の形状は、例えば円形状や三角状など、種々の形状に変更可能である。
・突起１９をカバーホルダ６に設け、スリット２０をコネクタ本体４に設けてもよい。
・突起１９を複数設け、スリット２０を１つのみ設け、スリット２０を複数の突起１９のうちの特定の１つに係止することにより、カバー開閉向きを設定してもよい。
【００２８】
・突起１９及びスリット２０の両方を複数設け、これらを組み合わせることにより、カバー開閉向きを設定してもよい。
・カバーホルダ６は、環状に形成されることに限らず、アクセサリソケットカバー７を開閉可能に取り付けることができる形状を有していればよい。
【００２９】
・付勢部は、アクセサリソケットカバー７を開き側に付勢する部材でもよい。
・付勢部は、トーションスプリング１２に限らず、例えば板ばね等、他の部品に変更可能である。
【００３０】
・凹部は、スリット２０に限らず、例えば溝や段部など、他の形状に変更可能である。
・アクセサリソケットカバー７は、ヒンジ機構８を支点とした回転式に限定されず、例えばスライド式に変更してもよい。
【００３１】
・アクセサリソケットカバー７の開閉向きは、４パターンに限定されず、例えば２，３パターンや５パターン以上など、パターン数を変更してもよい。
次に、上記実施形態及び別例から把握できる技術的思想について、それらの効果とともに以下に追記する。
【００３２】
（イ）前記アクセサリソケットカバー装置において、前記カバーホルダは、前記ソケット本体に対して圧入により取り付け固定されていること。この構成によれば、カバーホルダをソケット本体に簡単に取り付けることが可能となる。
【符号の説明】
【００３３】
４…ソケット本体としてのコネクタ本体、５…カバーユニット、６…カバーホルダ、７…アクセサリソケットカバー、１２…付勢部としてのトーションスプリング、１５…組付機構、１６…組付突部、１８…フランジ部、１９…突起、２０（２０ａ〜２０ｄ）…凹部としてのスリット、２１…収納部としてのスプリング収納部。
【図１】
2014094706.tif 000003
【図２】
2014094706.tif 000004
【図３】
2014094706.tif 000005
【図４】
2014094706.tif 000006
【図５】
2014094706.tif 000007
【図６】
2014094706.tif 000008
【図７】
2014094706.tif 000009